(57)【要約】【課題】画像形成装置本体を設置する場所に応じて排紙台の回動を規制できる画像形成装置を提供する。【解決手段】記録媒体に画像を形成する画像形成装置本体２に排紙台４を、画像形成装置本体２に沿って起立する第１の位置と画像形成装置本体２から排出される記録媒体を載置可能な第２の位置との間を回動するよう支持した画像形成装置１であって、排紙台４の回動を規制するロック機構１０を有し、ロック機構１０は、画像形成装置本体２に対して昇降可能な昇降部材１１と、昇降部材１１を下向きに付勢するコイルスプリング１２とを備え、画像形成装置本体２をデスクトップ９に設置したときに、昇降部材１１がデスクトップ９により押し上げられて、第２の位置から第１の位置への排紙台４の回動を規制するよう構成されている。【選択図】図７
2015151244.tif 000002
【特許請求の範囲】
【請求項１】
記録媒体に画像を形成する画像形成装置本体と、前記画像形成装置本体から排出される画像形成後の前記記録媒体を載置する排紙台とを備え、
前記画像形成装置本体に前記排紙台を、前記画像形成装置本体に沿って起立する第１の位置と前記画像形成装置本体から排出される前記記録媒体を載置可能な第２の位置との間を回動するよう支持した画像形成装置であって、
前記排紙台の回動を規制するロック機構を有し、前記ロック機構は、前記画像形成装置本体を設置する場所に応じて前記排紙台の回動を規制し、もしくは前記排紙台の回動の規制を解除するよう構成されていることを特徴とする画像形成装置。
【請求項２】
前記ロック機構は、前記画像形成装置本体をデスクトップに設置したときに前記排紙台の回動を規制し、前記画像形成装置本体を専用テーブルに設置したときに前記排紙台の回動の規制を解除するよう構成されていることを特徴とする請求項１に記載の画像形成装置。
【請求項３】
前記ロック機構は、前記画像形成装置本体に対して昇降可能な昇降部材と、前記昇降部材を下向きに付勢する弾性部材とを備え、前記画像形成装置本体を前記デスクトップに設置したときに、前記昇降部材が前記デスクトップにより押し上げられて前記排紙台の回動を規制し、前記画像形成装置本体を前記専用テーブルに設置したときに、前記弾性部材が前記昇降部材を押し下げて排紙台の回動の規制を解除するよう構成されていることを特徴とする請求項２に記載の画像形成装置。
【請求項４】
前記ロック機構は、前記第１の位置から前記第２の位置への前記排紙台の回動を許容し、前記第２の位置から前記第１の位置への前記排紙台の回動を許容しないよう構成されていることを特徴とする請求項１ないし請求項３のいずれか１項に記載の画像形成装置。
【請求項５】
前記画像形成装置本体は、底部に前記画像形成装置本体が設置される対象物の上面部に当接可能な脚部を有し、前記ロック機構は、平面視において最も前記排紙台に近い前記脚部よりも前記排紙台側に位置していることを特徴とする請求項１ないし請求項４のいずれか１項に記載の画像形成装置。
【請求項６】
前記ロック機構による前記排紙台の回動の規制を解除可能なリリース機構を備えたことを特徴とする請求項１ないし請求項５のいずれか１項に記載の画像形成装置。
【発明の詳細な説明】
【技術分野】
【０００１】
本発明は、画像形成装置に関する。
【背景技術】
【０００２】
複写機、プリンタ等の画像形成装置は、記録媒体に画像を形成する画像形成装置本体と、画像形成装置本体から排出される画像形成後の記録媒体を積載する排紙台と、排紙台の基端部を画像形成装置本体に回動可能に支持する支持機構とを備えている。支持機構は、排紙台が画像形成装置本体に沿って起立する第１の位置と画像形成装置本体から排出される記録媒体を積載可能な第２の位置との間を回動するよう構成されている。
【０００３】
上述した画像形成装置においては、デスクトップ（卓上）に画像形成装置本体を設置した場合、第１の位置にある排紙台を第２の位置へ回動させるときに、デスクトップと排紙台との間に手指等を挟んで傷付けてしまうことが懸念される。このようなリスクを回避する手法としては、支持機構に排紙台の動きを緩やかにするダンパー機構を組み込むことや、あるいは画像形成装置本体に排紙台を第２の位置で固定することが考えられる。
【０００４】
また、画像形成装置本体に対して着脱可能であり、かつ画像形成装置本体に対して折り畳まれて収納・保持される第１の位置と、画像形成後に排出される用紙を積載する第２の位置と、第１の位置と第２の位置との間にあって画像形成装置本体から取り外される離脱方向に変位する第３の位置との間で変位可能な排紙台と、排紙台の基端部に設けられ、排出台を、第１の位置から第２の位置に変位・案内するため変位案内手段と備えた画像形成装置が知られている（例えば、特許文献１参照）。
【０００５】
上述した画像形成装置は、排紙台が変位案内手段によって第３の位置を占めるべく離脱方向に変位・案内されるとき、変位に伴う慣性力が変位案内部材に伝達されることによって排紙台の基端部が離脱方向に変位するのを規制する規制手段を画像形成装置本体側に設けた構成を有している。
【発明の概要】
【発明が解決しようとする課題】
【０００６】
しかしながら、支持機構にダンパー機構を組み込むと、画像形成装置のコストが高くなるという問題があった。また、画像形成装置本体に対して、排紙台を第２の位置で固定すると、画像形成装置本体を専用テーブルに設置した場合、デスクトップと排紙台との間に手指等を挟んでしまうというリスクは無くなるものの、排紙台を第１の位置に設定することができないため、排紙台がユーザの通行の邪魔になることが考えられる。
【０００７】
さらに、特許文献１に開示された画像形成装置は、排紙台が画像形成装置本体から離脱してしまうのを防止することを目的としており、デスクトップに画像形成装置本体を設置した場合、排紙台を第１の位置から第２の位置へ回動させるときに、デスクトップと排紙台との間に手指等を挟んで傷つけてしまうことが懸念される。
【０００８】
本発明は、上述した課題を解決するためのもので、画像形成装置本体を設置する場所に応じて排紙台の回動を規制できる画像形成装置を提供することを目的としている。
【課題を解決するための手段】
【０００９】
本発明に係る画像形成装置は、上記目的を達成するため、記録媒体に画像を形成する画像形成装置本体と、前記画像形成装置本体から排出される画像形成後の前記記録媒体を載置する排紙台とを備え、前記画像形成装置本体に前記排紙台を、前記画像形成装置本体に沿って起立する第１の位置と前記画像形成装置本体から排出される前記記録媒体を載置可能な第２の位置との間を回動するよう支持した画像形成装置であって、前記排紙台の回動を規制するロック機構を有し、前記ロック機構は、前記画像形成装置本体を設置する場所に応じて前記排紙台の回動を規制し、もしくは前記排紙台の回動の規制を解除するよう構成されている。
【発明の効果】
【００１０】
本発明によれば、画像形成装置本体を設置する場所に応じて排紙台の回動を規制できる画像形成装置を提供することができる。
【図面の簡単な説明】
【００１１】
【図１】本発明の第１の実施の形態に係る画像形成装置において、画像形成装置本体を専用テーブルに設置したときの概略構成図である。
【図２】本発明の第１の実施の形態に係る画像形成装置において、画像形成装置本体をデスクトップに設置したときの概略構成図である。
【図３】本発明の第１の実施の形態に係る画像形成装置において、画像形成装置本体を専用テーブルに設置し、排紙台が第１の位置に回動した状態を示す概略構成図である。
【図４】本発明の第１の実施の形態に係る画像形成装置において、画像形成装置本体を専用テーブルに設置し、排紙台が第２の位置に回動した状態を示す概略構成図である。
【図５】本発明の第１の実施の形態に係る画像形成装置において、画像形成装置本体をデスクトップに設置し、排紙台が第１の位置に回動した状態を示す概略構成図である。
【図６】本発明の第１の実施の形態に係る画像形成装置において、画像形成装置本体をデスクトップに設置し、排紙台が第１の位置から第２の位置へ回動する途中の状態を示す概略構成図である。
【図７】本発明の第１の実施の形態に係る画像形成装置において、画像形成装置本体をデスクトップに設置し、排紙台が第２の位置に回動した状態を示す概略構成図である。
【図８】本発明の第１の実施の形態に係る画像形成装置において、画像形成装置本体の昇降部材がデスクトップの上面部に当接していない状態を示す概略構成図である。
【図９】本発明の第２の実施の形態に係る画像形成装置において、画像形成装置本体をデスクトップに設置し、リリース機構が作動していない状態を示す概略構成図である。
【図１０】本発明の第２の実施の形態に係る画像形成装置において、画像形成装置本体をデスクトップに設置し、リリース機構が作動した状態を示す概略構成図である。
【発明を実施するための形態】
【００１２】
以下、本発明の実施形態について、図面を参照して説明する。
【００１３】
（第１の実施の形態）
図１、図２に示すように、本実施の形態に係る画像形成装置１は、図示しない記録紙等の記録媒体に画像を形成する画像形成装置本体２と、画像形成装置本体２に付帯する給紙台３、排紙台４、脚部５およびロック機構１０等を備えている。
【００１４】
画像形成装置本体２は、原稿情報を読み取るスキャナ部と、画像処理して感光ドラムに書き込む書き込み部と、感光ドラムにトナー像を担持させるとともに、記録紙に転写する作像部と、記録紙にトナー像を定着させる定着部等とを有している。また、画像形成装置本体２は、定着部においてトナー像が定着された記録紙を、画像形成装置本体２の外部へ排出するよう構成されている。
【００１５】
給紙台３は、基端部が画像形成装置本体２の一端部に、記録媒体の通紙方向に直交する方向（図１、図２において紙面に直交する方向）に水平に延びるピン６によって回動可能に支持されている。ピン６は、給紙台３の基端部を画像形成装置本体２の一端部に回動可能に支持する支持機構を構成している。
【００１６】
この給紙台３は、ピン６を中心として、図１、図２に二点鎖線で示す画像形成装置本体２に沿って起立する第１の位置と、図１、図２に実線で示す画像形成装置本体２に手差しにより記録媒体を送給可能な第２の位置との間を回動するようになっている。また、給紙台３は、第１の位置において、図示しない係合部材によって画像形成装置本体２に係止されるようになっている。
【００１７】
排紙台４は、基端部が画像形成装置本体２の他端部に設けたブラケット２ａに、上述したピン６と平行なピン７によって回動可能に支持されている。ブラケット２ａおよびピン７は、排紙台４の基端部を画像形成装置本体２の他端部に回動可能に支持する支持機構を構成している。
【００１８】
この排紙台４は、ピン７を中心として、図１、図２に二点鎖線で示す画像形成装置本体２に沿って起立する第１の位置と、図１、図２に実線で示す画像形成装置本体２から排出される記録媒体を載置可能な第２の位置との間を回動するようになっている。また、排紙台４は、第１の位置において、図示しない係合部材によって画像形成装置本体２に係止されるようになっている。
【００１９】
脚部５は、画像形成装置本体２の底板２ｂの４個所に取り付けられ、画像形成装置本体２が設置される専用テーブル８の上面部８ａ、または画像形成装置本体２が設置されるデスクトップ９の上面部９ａに当接するようになっている。
【００２０】
図３、図４および図５〜図７に示すように、ロック機構１０は、排紙台４の回動を規制するための昇降部材１１と、昇降部材１１を下向きに付勢する弾性部材としてのコイルスプリング１２とを有している。
【００２１】
昇降部材１１は、上下方向に延びる第１の部材１１ａおよび第２の部材１１ｂを有し、画像形成装置本体２の底板２ｂに形成した挿通孔２ｃに昇降可能に挿通されている。挿通孔２ｃは、底板２ｂの平面視において最も排紙台４に近い脚部５よりも排紙台４側に位置している。
【００２２】
第１の部材１１ａの上端部と第２の部材１１ｂの下端部とは、上述したピン６，７と平行なピン１１ｃによって回動可能に支持されている。また、第１の部材１１ａおよび第２の部材１１ｂは、図示しないトーションスプリングにより、図５、図７に示すように、第１の部材１１ａと第２の部材１１ｂとが直線的に連なるよう付勢されている。
【００２３】
第１の部材１１ａは下端部に、専用テーブル８の上面部８ａあるいはデスクトップ９の上面部９ａに当接可能な受圧部１１ｄを有している。第２の部材１１ｂは、上端部に画像形成装置本体２の底板２ｂに上面部に当接可能なストッパ１１ｅを有している。このストッパ１１ｅは、昇降部材１１が底板２ｂから脱落することを防ぐためのものである。
【００２４】
コイルスプリング１２は、昇降部材１１を周方向に取り囲むよう配置され、受圧部１１ｄと底板２ｂとの間に介在して、昇降部材１１を下向きに付勢するようになっている。
【００２５】
図３、図４に示すように、専用テーブル８は、上面部８ａから下向きに窪む凹部８ｂを有している。専用テーブル８は、上面部８ａの所定個所に脚部５が当接するよう画像形成装置本体２を設置したときに、凹部８ｂに昇降部材１１の受圧部１１ｄおよび第１の部材１１ａを収容するよう構成されている。
【００２６】
昇降部材１１は、専用テーブル８の凹部８ｂに受圧部１１ｄおよび第１の部材１１ａに収容されときに、第２の部材１１ｂの大半が底板２ｂの下側に位置して、ピン７を中心とする排紙台４の基端部の回動範囲に第２の部材１１ｂが入らないよう構成されている。
【００２７】
図５〜図７に示すように、昇降部材１１は、デスクトップ９の上面部９ａに受圧部１１ｄが当接するよう画像形成装置本体２を設置したときに、コイルスプリング１２に抗して押し上げられるようになっている。
【００２８】
昇降部材１１は、デスクトップ９の上面部９ａに受圧部１１ｄが当接して押し上げられたときに、第２の部材１１ｂの大半が底板２ｂの上側に位置して、ピン７を中心とする排紙台４の基端部に回動範囲に第２の部材１１ｂが入るよう構成されている。
【００２９】
図８に示すように、昇降部材１１は、デスクトップ９の上面部９ａに受圧部１１ｄが当接しないよう画像形成装置本体２が設置されると、コイルスプリング１２により下向きに押し下げられた状態になる。デスクトップ９の上面部９ａに受圧部１１ｄが当接しないよう画像形成装置本体２を設置できるのは、前述したように、底板２ｂの平面視において最も排紙台４に近い脚部５よりも排紙台４側に挿通孔２ｃが位置しているためである。
【００３０】
本実施の形態に係る画像形成装置１は、図３、図４に示すように、専用テーブル８の上面部８ａの所定位置に画像形成装置本体２の脚部５が当接すると、凹部８ｂに昇降部材１１の受圧部１１ｄおよび第１の部材１１ａが収容される。
【００３１】
これにより、昇降部材１１は、コイルスプリング１２により押し下げられたまま、第２の部材１１ｂの大半が底板２ｂの下側に位置して、ピン７を中心とする排紙台４の基端部の回動範囲に第２の部材１１ｂが入らない状態となる。このため、排紙台４は、図３に示す第１の位置と図４に示す第２の位置との間を、第２の部材１１ｂに干渉せずに回動することができる。
【００３２】
本実施の形態に係る画像形成装置１は、図５〜図７に示すように、デスクトップ９の上面部９ａに昇降部材１１の受圧部１１ｄが当接すると、昇降部材１１がコイルスプリング１２に抗して押し上げられる。
【００３３】
これにより、昇降部材１１は、第２の部材１１ｂの大半が底板２ｂの上側に位置して、ピン７を中心とする排紙台４の基端部に回動範囲に第２の部材１１ｂが入った状態となる。このため、排紙台４は、図５に示す第１の位置から図７に示す第２の位置へ回動する際に、図６に示すように基端部が第２の部材１１ｂに当接して、第２の部材１１ｂを画像形成装置本体２の中心側（図５〜図７における右側）に向けて傾動させる。
【００３４】
また、昇降部材１１は、第２の位置に排紙台４が到達すると、トーションスプリングの復原力によって第１の部材１１ａと第２の部材１１ｂとが直線的に連なる状態に戻り、第２の部材１１ｂの上端部が排紙台４に下側から当接する。このため、排紙台４は、一度、第２の位置に到達すると、第１の位置への回動が規制されることになる。
【００３５】
本実施の形態に係る画像形成装置１は、図８に示すように、昇降部材１１は、デスクトップ９の上面部９ａに受圧部１１ｄが当接しないと、ピン７を中心とする排紙台４の基端部の回動範囲に第２の部材１１ｂが入らない状態となる。このため、排紙台４は、前述した第１の位置と第２の位置との間を、第２の部材１１ｂに干渉せずに回動することができる。
【００３６】
本実施の形態に係る画像形成装置１は、図５〜図７に示すように、デスクトップ９の上面部９ａに受圧部１１ｄが当接すると、昇降部材１１により排紙台４が第２の位置から第１の位置へと回動することが規制される。よって、本実施の形態に係る画像形成装置１は、排紙台４を第１の位置と第２の位置との間で繰り返し回動させることができなくなり、デスクトップ９の上面部９ａと排紙台４との間に手指等を挟んでしまう可能性が極めて低くなる。
【００３７】
また、本実施の形態に係る画像形成装置１は、図３、図４に示すように、専用テーブル８の凹部８ｂに受圧部１１ｄおよび第１の部材１１ａが収容されると、第１の位置と第２の位置との間での排紙台４の回動が許容される。よって、本実施の形態に係る画像形成装置１は、専用テーブル８に画像形成装置本体２を設置した場合には、排紙台４をユーザの通行の邪魔にならない第１の位置に設定することができる。
【００３８】
さらに、本実施の形態に係る画像形成装置１は、図８に示すように、デスクトップ９の上面部９ａに受圧部１１ｄが当接しないと、第１の位置と第２の位置との間での排紙台４の回動が許容される。よって、本実施の形態に係る画像形成装置１は、排紙台４がデスクトップ９からはみ出すよう画像形成装置本体２を設置した場合には、排紙台４をユーザの通行の邪魔にならない第１の位置に設定することができる。
【００３９】
（第２の実施の形態）
図９、図１０に示すように、本実施形態に係る画像形成装置１Ａは、画像形成装置本体２と、画像形成装置本体２に付帯する図示しない給紙台、排紙台４、脚部５、ロック機構１０およびリリース機構２０等を備えている。図９、図１０において、図３〜図８と同一の符号を付した部分は、同一の構成を有しており、その説明を省略する。
【００４０】
リリース機構２０は、記録媒体の通紙方向に直交する方向（図９、図１０において紙面に直交する方向）に水平に延びるピン２１と、基端部がピン２１に固設されたレバー２２およびアーム２３とを有している。
【００４１】
ピン２１は、昇降部材１１よりも画像形成装置本体２の中心側（図９、図１０における右側）に位置するよう底板２ｂに回動可能に支持されている。レバー２２は、ピン２１から上方に向けて延び、先端部がピン２１よりも画像形成装置本体２の中心側に位置するよう構成されている。アーム２３は、ピン２１から上方に向けて延び、先端部がピン２１と平行になるよう屈曲して、昇降部材１１の第２の部材１１ｂに画像形成装置本体２の他端部側から相対するよう構成されている。
【００４２】
図９に示すように、リリース機構２０は、レバー２２の先端部が押し下げられていないと、アーム２３の先端部が昇降部材１１の第２の部材１１ｂから離れた状態になっている。また、図１０に示すように、リリース機構２０は、レバー２２の先端部を押し下げると、ピン２１の回動に応じてアーム２３の先端部が昇降部材１１の第２の部材１１ｂに画像形成装置本体２の他端部側から当接するようになっている。
【００４３】
すなわち、リリース機構２０は、レバー２２の先端部をユーザが上昇させると、アーム２３の先端部が第２の部材１１ｂから離反し、レバー２２の先端部をユーザが下降させると、アーム２３の先端部が第２の部材１１ｂに近接することになる。
【００４４】
本実施の形態に係る画像形成装置１Ａは、図９に示すように、第２の部材１１ｂの上端部が排紙台４に下側から当接している状態において、レバー２２の先端部を押し下げると、図１０に示すように、アーム２３の先端部が第２の部材１１ｂに当接する。これにより、第２の部材１１ｂは、画像形成装置本体２の中心側に傾動し、第２の部材１１ｂの上端部が排紙台４から外れる。
【００４５】
よって、本実施の形態に係る画像形成装置１Ａは、デスクトップ９の上面部９ａに昇降部材１１の受圧部１１ｄが当接していても、昇降部材１１による排紙台４の回動の規制を解除して、排紙台４を第２の位置から第１の位置へ回動させることができる。
【００４６】
本発明に係る画像形成装置は、上述した実施の形態に限定されるものではない。また、本発明は、各種の画像形成装置に適用することができる。
【符号の説明】
【００４７】
１，１Ａ  画像形成装置
２  画像形成装置本体
２ｂ  底板（底部）
４  排紙台
５  脚部
８  専用テーブル
８ａ  上面部
９  デスクトップ
９ａ  上面部
１０  ロック機構
１１  昇降部材
１２  コイルスプリング
２０  リリース機構
【先行技術文献】
【特許文献】
【００４８】
【特許文献１】特開２００４−１８２３１号公報
【図１】
2015151244.tif 000003
【図２】
2015151244.tif 000004
【図３】
2015151244.tif 000005
【図４】
2015151244.tif 000006
【図５】
2015151244.tif 000007
【図６】
2015151244.tif 000008
【図７】
2015151244.tif 000009
【図８】
2015151244.tif 000010
【図９】
2015151244.tif 000011
【図１０】
2015151244.tif 000012